(57)【特許請求の範囲】
【請求項１】
記録媒体を搬送方向に搬送する搬送部と、
前記記録媒体に対して紫外線の照射により硬化する液体を吐出する複数の吐出口が形成された吐出面を有するヘッドと、
前記ヘッドよりも前記搬送方向下流側において、前記記録媒体に対して紫外線を照射する紫外線照射部と、
前記吐出面に接触しながら前記吐出面に対して相対移動することにより、前記吐出面に付着した異物を払拭するワイピングを行うワイパと、
前記吐出面と交差する方向に移動可能であって、前記吐出面から前記交差する方向に突出する突出位置に配置された状態で、前記吐出面と対向する対向空間を前記紫外線照射部が照射する紫外線から遮光する第１遮光部材と、
前記第１遮光部材を前記突出位置に配置する第１遮光部材制御手段と、
前記ワイピングが行われる場合に、前記ワイパが前記対向空間に配置され且つ前記第１遮光部材が前記突出位置に配置された状態で、前記ワイパを前記吐出面に接触させながら前記吐出面に対して相対移動させるワイパ制御手段と、
前記吐出面に対向する対向面を有する対向部材と、
前記第１遮光部材を前記交差する方向に移動し、前記第１遮光部材における当該突出する方向の先端を前記対向面に接触させることで、前記吐出面と前記対向面との間の前記対向空間を外部空間から隔離するキャッピング制御手段と、
前記第１遮光部材が前記突出位置に配置され且つ前記対向部材が前記吐出面に対向しない非対向位置に配置されているときに、前記第１遮光部材と前記対向部材との間に介在する第２遮光部材と、
を備えたことを特徴とする記録装置。
【請求項２】
前記対向部材が、記録媒体を支持する媒体支持部であり、
前記対向面が、記録媒体を支持する支持面であることを特徴とする請求項１に記載の記録装置。
【請求項３】
前記対向部材が、前記吐出面に平行で且つ前記搬送方向に直交する軸を中心として回動することによって、前記吐出面と直交する方向に関して前記吐出面に対向する対向位置と前記非対向位置とを選択的に取ることを特徴とする請求項１又は２に記載の記録装置。
【請求項４】
記録媒体を搬送方向に搬送する搬送部と、
前記記録媒体に対して紫外線の照射により硬化する液体を吐出する複数の吐出口が形成された吐出面を有するヘッドと、
前記ヘッドよりも前記搬送方向下流側において、前記記録媒体に対して紫外線を照射する紫外線照射部と、
前記吐出面に接触しながら前記吐出面に対して相対移動することにより、前記吐出面に付着した異物を払拭するワイピングを行うワイパと、
前記吐出面と交差する方向に移動可能であって、前記吐出面から前記交差する方向に突出する突出位置に配置された状態で、前記吐出面と対向する対向空間を前記紫外線照射部が照射する紫外線から遮光する第１遮光部材と、
前記第１遮光部材を前記突出位置に配置する第１遮光部材制御手段と、
前記ワイピングが行われる場合に、前記ワイパが前記対向空間に配置され且つ前記第１遮光部材が前記突出位置に配置された状態で、前記ワイパを前記吐出面に接触させながら前記吐出面に対して相対移動させるワイパ制御手段と、
を備え、
前記第１遮光部材における前記対向空間を画定する面に、前記液体を保持可能な保持部材が設けられたことを特徴とする記録装置。
【請求項５】
記録媒体を搬送方向に搬送する搬送部と、
前記記録媒体に対して紫外線の照射により硬化する液体を吐出する複数の吐出口が形成された吐出面を有するヘッドと、
前記ヘッドよりも前記搬送方向下流側において、前記記録媒体に対して紫外線を照射する紫外線照射部と、
前記吐出面に接触しながら前記吐出面に対して相対移動することにより、前記吐出面に付着した異物を払拭するワイピングを行うワイパと、
前記吐出面と交差する方向に移動可能であって、前記吐出面から前記交差する方向に突出する突出位置に配置された状態で、前記吐出面と対向する対向空間を前記紫外線照射部が照射する紫外線から遮光する第１遮光部材と、
前記第１遮光部材を前記突出位置に配置する第１遮光部材制御手段と、
前記ワイピングが行われる場合に、前記ワイパが前記対向空間に配置され且つ前記第１遮光部材が前記突出位置に配置された状態で、前記ワイパを前記吐出面に接触させながら前記吐出面に対して相対移動させるワイパ制御手段と、
前記ワイパが前記対向空間外にある待機空間に配置されているとき、及び、前記ワイパが前記待機空間と前記対向空間との間の中間空間に配置されているときに、前記ワイパを前記紫外線照射部が照射する紫外線から遮光する第３遮光手段と、
を備え、
前記第３遮光手段は、
前記ワイパを収納するワイパケースであって、前記待機空間と前記対向空間との間を移動可能なワイパケースと、
前記ワイパを前記ワイパケースに対して相対移動させる移動機構と、
前記ワイパが前記待機空間に配置されているとき及び前記ワイパが前記中間空間に配置されているとき、前記ワイパが前記ワイパケースに収納され、且つ、前記ワイパが前記対向空間に配置されているとき、前記ワイパの少なくとも前記吐出面に接触する部分が前記ワイパケースから露出するように、前記移動機構を制御する移動機構制御手段と、
を含むことを特徴とする記録装置。
【請求項６】
記録媒体を搬送方向に搬送する搬送部と、
前記記録媒体に対して紫外線の照射により硬化する液体を吐出する複数の吐出口が形成された吐出面を有するヘッドと、
前記ヘッドよりも前記搬送方向下流側において、前記記録媒体に対して紫外線を照射する紫外線照射部と、
前記吐出面に接触しながら前記吐出面に対して相対移動することにより、前記吐出面に付着した異物を払拭するワイピングを行うワイパと、
前記吐出面と交差する方向に移動可能であって、前記吐出面から前記交差する方向に突出する突出位置に配置された状態で、前記吐出面と対向する対向空間を前記紫外線照射部が照射する紫外線から遮光する第１遮光部材と、
前記第１遮光部材を前記突出位置に配置する第１遮光部材制御手段と、
前記ワイピングが行われる場合に、前記ワイパが前記対向空間に配置され且つ前記第１遮光部材が前記突出位置に配置された状態で、前記ワイパを前記吐出面に接触させながら前記吐出面に対して相対移動させるワイパ制御手段と、
前記ワイパが前記対向空間外にある待機空間に配置されているとき、及び、前記ワイパが前記待機空間と前記対向空間との間の中間空間に配置されているときに、前記ワイパを前記紫外線照射部が照射する紫外線から遮光する第３遮光手段と、
を備え、
前記第３遮光手段は、前記ワイパを収納するワイパケースであって、開口、及び、前記開口を覆い且つ貫通孔が形成された蓋を有するワイパケースを含み、
前記ワイピングが行われる場合に、前記ワイパの少なくとも前記吐出面に接触する部分が、前記貫通孔を貫挿して、前記ワイパケースから露出し、
前記ワイピング中、前記ワイパにおける前記相対移動方向下流側のワイプ面と、前記蓋における前記貫通孔を画定し且つ前記相対移動方向に関して前記ワイプ面と対向する部分との間に空隙が確保されており、
前記ワイピングが終了して前記ワイパが前記吐出面から離隔したとき、前記空隙の前記相対移動方向のサイズが、前記ワイピング中よりも小さくなることを特徴とする記録装置。
【請求項７】
前記ワイパケース内に、前記液体を保持可能な保持部材が設けられたことを特徴とする請求項５又は６に記載の記録装置。
【請求項８】
記録媒体を搬送方向に搬送する搬送部と、前記記録媒体に対して紫外線の照射により硬化する液体を吐出する複数の吐出口が形成された吐出面を有するヘッドと、前記ヘッドよりも前記搬送方向下流側において、前記記録媒体に対して紫外線を照射する紫外線照射部と、前記吐出面に接触しながら前記吐出面に対して相対移動することにより、前記吐出面に付着した異物を払拭するワイピングを行うワイパと、前記吐出面と交差する方向に移動可能であって、前記吐出面から前記交差する方向に突出する突出位置に配置された状態で、前記吐出面と対向する対向空間を前記紫外線照射部が照射する紫外線から遮光する第１遮光部材と、前記吐出面に対向する対向面を有する対向部材と、前記第１遮光部材が前記突出位置に配置され且つ前記対向部材が前記吐出面に対向しない非対向位置に配置されているときに、前記第１遮光部材と前記対向部材との間に介在する第２遮光部材と、を含む記録装置に用いられる制御装置であって、
前記第１遮光部材を前記突出位置に配置する第１遮光部材制御手段と、
前記ワイピングが行われる場合に、前記ワイパが前記対向空間に配置され且つ前記第１遮光部材が前記突出位置に配置された状態で、前記ワイパを前記吐出面に接触させながら前記吐出面に対して相対移動させるワイパ制御手段と、
前記第１遮光部材を前記交差する方向に移動し、前記第１遮光部材における当該突出する方向の先端を前記対向面に接触させることで、前記吐出面と前記対向面との間の前記対向空間を外部空間から隔離するキャッピング制御手段と、
を備えたことを特徴とする制御装置。
【請求項９】
記録媒体を搬送方向に搬送する搬送部と、前記記録媒体に対して紫外線の照射により硬化する液体を吐出する複数の吐出口が形成された吐出面を有するヘッドと、前記ヘッドよりも前記搬送方向下流側において、前記記録媒体に対して紫外線を照射する紫外線照射部と、前記吐出面に接触しながら前記吐出面に対して相対移動することにより、前記吐出面に付着した異物を払拭するワイピングを行うワイパと、前記吐出面と交差する方向に移動可能であって、前記吐出面から前記交差する方向に突出する突出位置に配置された状態で、前記吐出面と対向する対向空間を前記紫外線照射部が照射する紫外線から遮光する第１遮光部材と、前記吐出面に対向する対向面を有する対向部材と、前記第１遮光部材が前記突出位置に配置され且つ前記対向部材が前記吐出面に対向しない非対向位置に配置されているときに、前記第１遮光部材と前記対向部材との間に介在する第２遮光部材と、を含む記録装置を、
前記第１遮光部材を前記突出位置に配置する第１遮光部材制御手段、
前記ワイピングが行われる場合に、前記ワイパが前記対向空間に配置され且つ前記第１遮光部材が前記突出位置に配置された状態で、前記ワイパを前記吐出面に接触させながら前記吐出面に対して相対移動させるワイパ制御手段、及び、
前記第１遮光部材を前記交差する方向に移動し、前記第１遮光部材における当該突出する方向の先端を前記対向面に接触させることで、前記吐出面と前記対向面との間の前記対向空間を外部空間から隔離するキャッピング制御手段、
として機能させることを特徴とするプログラム。
【発明の詳細な説明】
【技術分野】
【０００１】
本発明は、紫外線の照射により硬化する液体を用いて記録を行う記録装置、これを制御する制御装置、及びプログラムに関する。
【背景技術】
【０００２】
記録装置において、紫外線の照射により硬化する液体（ＵＶインク等）を用いて記録を行う技術が知られている。例えば特許文献１に記載の画像形成装置１０（記録装置）は、ＵＶインクを吐出するインクジェットヘッド１２Ｋ，１２Ｍ，１２Ｃ，１２Ｙ、各ヘッドの用紙搬送方向下流側に配置された４つの光源１６Ａ，１６Ｂ，１６Ｃ，１８（紫外線照射部）等を有する。
【０００３】
また、ヘッドのメンテナンスとして、ヘッドの吐出面（吐出口が形成された面）に付着した異物（インク、紙粉等）を払拭するため、弾性体等からなるワイパを吐出面に接触させながら吐出面に対して相対移動させること（ワイピング）が知られている（特許文献２参照）。
【０００４】
【特許文献１】特開２００５−２８０３４６号公報（特に、図１）
【特許文献２】特開２００７−２５３３９１号公報
【発明の概要】
【発明が解決しようとする課題】
【０００５】
しかしながら、紫外線の照射により硬化する液体を吐出するヘッドの場合、ワイピングを行うと、ワイパに付着した液体が紫外線により硬化し、ワイピング性能が低下するという問題が生じ得る。
【０００６】
そこで、ワイパへの紫外線の照射を防止するため、一旦紫外線照射部をオフにする（紫外線の照射を停止させる）ことが考えられる。しかし、ワイピング中に紫外線照射部をオフにすると、記録動作を再開する際、紫外線照射部をオンにして紫外線の照度が安定化するまでの時間が必要になり、時間的ロスが生じる。
【０００７】
本発明の目的は、ワイピング中に紫外線照射部をオフにしなくとも、ワイパに付着した液体の硬化を防止することができる、記録装置、制御装置、及びプログラムを提供することである。
【課題を解決するための手段】
【０００８】
上記目的を達成するため、本発明の第１観点によると、記録媒体を搬送方向に搬送する搬送部と、前記記録媒体に対して紫外線の照射により硬化する液体を吐出する複数の吐出口が形成された吐出面を有するヘッドと、前記ヘッドよりも前記搬送方向下流側において、前記記録媒体に対して紫外線を照射する紫外線照射部と、前記吐出面に接触しながら前記吐出面に対して相対移動することにより、前記吐出面に付着した異物を払拭するワイピングを行うワイパと、前記吐出面と交差する方向に移動可能であって、前記吐出面から前記交差する方向に突出する突出位置に配置された状態で、前記吐出面と対向する対向空間を前記紫外線照射部が照射する紫外線から遮光する第１遮光部材と、前記第１遮光部材を前記突出位置に配置する第１遮光部材制御手段と、前記ワイピングが行われる場合に、前記ワイパが前記対向空間に配置され且つ前記第１遮光部材が前記突出位置に配置された状態で、前記ワイパを前記吐出面に接触させながら前記吐出面に対して相対移動させるワイパ制御手段と、前記吐出面に対向する対向面を有する対向部材と、前記第１遮光部材を前記交差する方向に移動し、前記第１遮光部材における当該突出する方向の先端を前記対向面に接触させることで、前記吐出面と前記対向面との間の前記対向空間を外部空間から隔離するキャッピング制御手段と、前記第１遮光部材が前記突出位置に配置され且つ前記対向部材が前記吐出面に対向しない非対向位置に配置されているときに、前記第１遮光部材と前記対向部材との間に介在する第２遮光部材と、を備えたことを特徴とする記録装置が提供される。
本発明の第２観点によると、記録媒体を搬送方向に搬送する搬送部と、前記記録媒体に対して紫外線の照射により硬化する液体を吐出する複数の吐出口が形成された吐出面を有するヘッドと、前記ヘッドよりも前記搬送方向下流側において、前記記録媒体に対して紫外線を照射する紫外線照射部と、前記吐出面に接触しながら前記吐出面に対して相対移動することにより、前記吐出面に付着した異物を払拭するワイピングを行うワイパと、前記吐出面と交差する方向に移動可能であって、前記吐出面から前記交差する方向に突出する突出位置に配置された状態で、前記吐出面と対向する対向空間を前記紫外線照射部が照射する紫外線から遮光する第１遮光部材と、前記第１遮光部材を前記突出位置に配置する第１遮光部材制御手段と、前記ワイピングが行われる場合に、前記ワイパが前記対向空間に配置され且つ前記第１遮光部材が前記突出位置に配置された状態で、前記ワイパを前記吐出面に接触させながら前記吐出面に対して相対移動させるワイパ制御手段と、を備え、前記第１遮光部材における前記対向空間を画定する面に、前記液体を保持可能な保持部材が設けられたことを特徴とする記録装置が提供される。
本発明の第３観点によると、記録媒体を搬送方向に搬送する搬送部と、前記記録媒体に対して紫外線の照射により硬化する液体を吐出する複数の吐出口が形成された吐出面を有するヘッドと、前記ヘッドよりも前記搬送方向下流側において、前記記録媒体に対して紫外線を照射する紫外線照射部と、前記吐出面に接触しながら前記吐出面に対して相対移動することにより、前記吐出面に付着した異物を払拭するワイピングを行うワイパと、前記吐出面と交差する方向に移動可能であって、前記吐出面から前記交差する方向に突出する突出位置に配置された状態で、前記吐出面と対向する対向空間を前記紫外線照射部が照射する紫外線から遮光する第１遮光部材と、前記第１遮光部材を前記突出位置に配置する第１遮光部材制御手段と、前記ワイピングが行われる場合に、前記ワイパが前記対向空間に配置され且つ前記第１遮光部材が前記突出位置に配置された状態で、前記ワイパを前記吐出面に接触させながら前記吐出面に対して相対移動させるワイパ制御手段と、前記ワイパが前記対向空間外にある待機空間に配置されているとき、及び、前記ワイパが前記待機空間と前記対向空間との間の中間空間に配置されているときに、前記ワイパを前記紫外線照射部が照射する紫外線から遮光する第３遮光手段と、を備え、前記第３遮光手段は、前記ワイパを収納するワイパケースであって、前記待機空間と前記対向空間との間を移動可能なワイパケースと、前記ワイパを前記ワイパケースに対して相対移動させる移動機構と、前記ワイパが前記待機空間に配置されているとき及び前記ワイパが前記中間空間に配置されているとき、前記ワイパが前記ワイパケースに収納され、且つ、前記ワイパが前記対向空間に配置されているとき、前記ワイパの少なくとも前記吐出面に接触する部分が前記ワイパケースから露出するように、前記移動機構を制御する移動機構制御手段と、を含むことを特徴とする記録装置が提供される。
本発明の第４観点によると、記録媒体を搬送方向に搬送する搬送部と、前記記録媒体に対して紫外線の照射により硬化する液体を吐出する複数の吐出口が形成された吐出面を有するヘッドと、前記ヘッドよりも前記搬送方向下流側において、前記記録媒体に対して紫外線を照射する紫外線照射部と、前記吐出面に接触しながら前記吐出面に対して相対移動することにより、前記吐出面に付着した異物を払拭するワイピングを行うワイパと、前記吐出面と交差する方向に移動可能であって、前記吐出面から前記交差する方向に突出する突出位置に配置された状態で、前記吐出面と対向する対向空間を前記紫外線照射部が照射する紫外線から遮光する第１遮光部材と、前記第１遮光部材を前記突出位置に配置する第１遮光部材制御手段と、前記ワイピングが行われる場合に、前記ワイパが前記対向空間に配置され且つ前記第１遮光部材が前記突出位置に配置された状態で、前記ワイパを前記吐出面に接触させながら前記吐出面に対して相対移動させるワイパ制御手段と、前記ワイパが前記対向空間外にある待機空間に配置されているとき、及び、前記ワイパが前記待機空間と前記対向空間との間の中間空間に配置されているときに、前記ワイパを前記紫外線照射部が照射する紫外線から遮光する第３遮光手段と、を備え、前記第３遮光手段は、前記ワイパを収納するワイパケースであって、開口、及び、前記開口を覆い且つ貫通孔が形成された蓋を有するワイパケースを含み、前記ワイピングが行われる場合に、前記ワイパの少なくとも前記吐出面に接触する部分が、前記貫通孔を貫挿して、前記ワイパケースから露出し、前記ワイピング中、前記ワイパにおける前記相対移動方向下流側のワイプ面と、前記蓋における前記貫通孔を画定し且つ前記相対移動方向に関して前記ワイプ面と対向する部分との間に空隙が確保されており、前記ワイピングが終了して前記ワイパが前記吐出面から離隔したとき、前記空隙の前記相対移動方向のサイズが、前記ワイピング中よりも小さくなることを特徴とする記録装置が提供される。
【０００９】
本発明の別の観点によると、記録媒体を搬送方向に搬送する搬送部と、前記記録媒体に対して紫外線の照射により硬化する液体を吐出する複数の吐出口が形成された吐出面を有するヘッドと、前記ヘッドよりも前記搬送方向下流側において、前記記録媒体に対して紫外線を照射する紫外線照射部と、前記吐出面に接触しながら前記吐出面に対して相対移動することにより、前記吐出面に付着した異物を払拭するワイピングを行うワイパと、前記吐出面と交差する方向に移動可能であって、前記吐出面から前記交差する方向に突出する突出位置に配置された状態で、前記吐出面と対向する対向空間を前記紫外線照射部が照射する紫外線から遮光する第１遮光部材と、前記吐出面に対向する対向面を有する対向部材と、前記第１遮光部材が前記突出位置に配置され且つ前記対向部材が前記吐出面に対向しない非対向位置に配置されているときに、前記第１遮光部材と前記対向部材との間に介在する第２遮光部材と、を含む記録装置に用いられる制御装置であって、前記第１遮光部材を前記突出位置に配置する第１遮光部材制御手段と、前記ワイピングが行われる場合に、前記ワイパが前記対向空間に配置され且つ前記第１遮光部材が前記突出位置に配置された状態で、前記ワイパを前記吐出面に接触させながら前記吐出面に対して相対移動させるワイパ制御手段と、前記第１遮光部材を前記交差する方向に移動し、前記第１遮光部材における当該突出する方向の先端を前記対向面に接触させることで、前記吐出面と前記対向面との間の前記対向空間を外部空間から隔離するキャッピング制御手段と、を備えたことを特徴とする制御装置が提供される。
【００１０】
本発明のさらに別の観点によると、記録媒体を搬送方向に搬送する搬送部と、前記記録媒体に対して紫外線の照射により硬化する液体を吐出する複数の吐出口が形成された吐出面を有するヘッドと、前記ヘッドよりも前記搬送方向下流側において、前記記録媒体に対して紫外線を照射する紫外線照射部と、前記吐出面に接触しながら前記吐出面に対して相対移動することにより、前記吐出面に付着した異物を払拭するワイピングを行うワイパと、前記吐出面と交差する方向に移動可能であって、前記吐出面から前記交差する方向に突出する突出位置に配置された状態で、前記吐出面と対向する対向空間を前記紫外線照射部が照射する紫外線から遮光する第１遮光部材と、前記吐出面に対向する対向面を有する対向部材と、前記第１遮光部材が前記突出位置に配置され且つ前記対向部材が前記吐出面に対向しない非対向位置に配置されているときに、前記第１遮光部材と前記対向部材との間に介在する第２遮光部材と、を含む記録装置を、前記第１遮光部材を前記突出位置に配置する第１遮光部材制御手段、前記ワイピングが行われる場合に、前記ワイパが前記対向空間に配置され且つ前記第１遮光部材が前記突出位置に配置された状態で、前記ワイパを前記吐出面に接触させながら前記吐出面に対して相対移動させるワイパ制御手段、及び、前記第１遮光部材を前記交差する方向に移動し、前記第１遮光部材における当該突出する方向の先端を前記対向面に接触させることで、前記吐出面と前記対向面との間の前記対向空間を外部空間から隔離するキャッピング制御手段、として機能させることを特徴とするプログラムが提供される。
【発明の効果】
【００１１】
本発明によると、ワイピング中、第１遮光部材によって、ワイパが紫外線から遮光される。そのため、ワイピング中に紫外線照射部をオフにしなくとも、ワイパに付着した液体の硬化を防止することができる。
【図面の簡単な説明】
【００１２】
【図１】本発明の記録装置の第１実施形態に係るインクジェット式プリンタの内部構造を示す概略側面図である。
【図２】図１のプリンタに含まれるインクジェットヘッドの流路ユニット及びアクチュエータユニットを示す平面図である。
【図３】図２の一点鎖線で囲まれた領域ＩＩＩを示す拡大図である。
【図４】図３のＩＶ−ＩＶ線に沿った部分断面図である。
【図５】インクジェットヘッドの縦断面図である。
【図６】１のインクジェットヘッド及びこれに対応するＵＶ照射器、ワイパユニット等を示す図であり、（ａ）は部分断側面図、（ｂ）は図６（ａ）のＶＩＢ−ＶＩＢ線に沿った部分断面図、（ｃ）は図６（ａ）に示すＶＩＣ方向から見た平面図である。
【図７】（ａ）はワイパユニットの断面図、（ｂ１），（ｂ２）はそれぞれワイピング前後及びワイピング中におけるワイパユニットの部分断面図、（ｃ１），（ｃ２）はそれぞれワイピング前後及びワイピング中におけるワイパと貫通孔との位置関係を示すワイパの断面図である。
【図８】プリンタの電気的構成を示すブロック図である。
【図９】プリンタの制御装置が実行するワイピング動作の制御内容を示すフロー図である。
【図１０】本発明の記録装置の第２実施形態に係るインクジェット式プリンタの、図６（ａ）に対応する部分断側面図である。
【図１１】本発明の記録装置の第３実施形態に係るインクジェット式プリンタの、図６（ｃ）に対応する平面図である。
【図１２】本発明の記録装置の第４実施形態に係るインクジェット式プリンタの、図６（ａ）に対応する部分断側面図である。
【発明を実施するための形態】
【００１３】
以下、本発明の好適な実施の形態について、図面を参照しつつ説明する。
【００１４】
先ず、図１を参照し、本発明の記録装置の第１実施形態に係るインクジェット式プリンタ１の全体構成について説明する。
【００１５】
プリンタ１は、直方体形状の筐体１ａを有する。筐体１ａの天板上部には、排紙部３１が設けられている。筐体１ａの内部空間は、上から順に空間Ａ，Ｂ，Ｃに区分できる。空間Ｂには、給紙ユニット１ｂが配置されている。空間Ａ及びＢには、給紙ユニット１ｂから排紙部３１に至る用紙搬送経路が形成されている。
【００１６】
空間Ａには、用紙センサ３２、４つのヘッド１０、４つのＵＶ照射器６０、搬送部、用紙Ｐをガイドするガイド２９、制御装置１ｐ等が配置されている。搬送部は、４つのヘッド１０のそれぞれに対向して配置された４つのプラテン７、及び、用紙搬送経路に沿って配置された送りローラ対２２〜２７からなり、用紙Ｐを図１中の太矢印方向（搬送方向）に搬送する。
【００１７】
ヘッド１０は、主走査方向に長尺な略直方体形状を有するライン式のインクジェットヘッドである。記録（画像形成）に際して、４つのヘッド１０の下面（吐出面１０ａ）からそれぞれマゼンタ、シアン、イエロー、ブラックのＵＶインク（紫外線の照射により硬化するインク）が吐出される。
ヘッド１０の下端近傍には、吐出面１０ａの外周を囲む環状のキャップ４０が設けられている。また、各ヘッド１０に対して、ワイパユニット７０及び遮光板８０（図６参照）が配置されている。これらキャップ４０、ワイパユニット７０、及び遮光板８０の構成、動作、機能等については、後に詳述する。
【００１８】
ＵＶ照射器６０は、ヘッド１０毎に設けられており、各ヘッド１０に対して搬送部による用紙Ｐの搬送方向（図１中の太矢印方向。以下、単に「搬送方向」と称す。）下流側に配置されている。ＵＶ照射器６０は、ヘッド１０と同様、主走査方向に長尺であり、略直方体の外形形状を有する。ＵＶ照射器６０の下面には、主走査方向に配列した複数の光源（例えばハロゲンランプ）６１（図６（ａ），（ｃ）参照）が設けられている。記録（画像形成）に際して、ＵＶ照射器６０の光源６１から紫外線が照射され、用紙Ｐ上に付着したＵＶインクが硬化・定着する。
【００１９】
ヘッド１０及びＵＶ照射器６０は、副走査方向に所定ピッチで並び、フレーム（図示せず）を介して筐体１ａに支持されている。
【００２０】
給紙ユニット１ｂは、給紙トレイ２０及び給紙ローラ２１を有する。このうち、給紙トレイ２０が、筐体１ａに対して着脱可能となっている。給紙トレイ２０は、上方に開口する箱であり、複数種類のサイズの用紙Ｐを収納可能である。給紙ローラ２１は、給紙トレイ２０内で最も上方にある用紙Ｐを送り出す。
【００２１】
制御装置１ｐは、プリンタ１各部の動作を制御してプリンタ１全体の動作を司る。
制御装置１ｐは、外部装置（プリンタ１と接続されたＰＣ等）から供給された画像データに基づいて、用紙Ｐ上に画像が形成されるよう、記録に係わる準備動作、用紙Ｐの供給・搬送・排出動作、用紙Ｐの搬送に同期したインク吐出動作と紫外線照射等を制御する。制御装置１ｐはまた、ヘッド１０の吐出性能の回復・維持に係るメンテナンス動作（後述）を制御する。
【００２２】
制御装置１ｐは、外部装置から受信した記録指令に基づいて、給紙ローラ２１用の給紙モータ１２５（図８参照）、各送りローラ対２２〜２７用の送りモータ１２７（図８参照）等を駆動する。
給紙トレイ２０から繰り出された用紙Ｐは、ガイド２９によりガイドされ且つ送りローラ対２２，２３によって順次挟持されつつ吐出面１０ａとプラテン７の表面（支持面）７ａとの間の記録位置に送られる。用紙Ｐが各ヘッド１０の真下を副走査方向（用紙搬送方向）に通過する際に、制御装置１ｐの制御により、各吐出面１０ａから用紙Ｐの表面に向けて順次ＵＶインクが吐出され、さらに、各ＵＶ照射器６０から紫外線が照射され、用紙Ｐ上にカラー画像が形成される。ＵＶインクの吐出動作及び紫外線の照射は、用紙Ｐの先端を検知する用紙センサ３２からの検知信号に基づいて行われる。記録中、用紙Ｐは、各吐出面１０ａに対向するプラテン７の支持面７ａに支持され、且つ、各ヘッド１０の搬送方向下流側に配置された送りローラ対２４によって順次挟持されつつ、搬送される。そして画像が形成された用紙Ｐは、ガイド２９によりガイドされ且つ送りローラ対２５，２６，２７によって挟持されつつ上方に搬送され、筐体１ａ上部に形成された開口３０から排紙部３１に排出される。
【００２３】
ここで、副走査方向とは、搬送方向と平行な方向であり、主走査方向とは、水平面に平行且つ副走査方向に直交する方向である。
【００２４】
空間Ｃには、カートリッジユニット１ｃが筐体１ａに対して着脱可能に配置されている。カートリッジユニット１ｃは、トレイ３５、及び、トレイ３５内に並んで収納された４つのカートリッジ３９を有する。カートリッジ３９はそれぞれ、チューブ（図示せず）を介してヘッド１０と連通し、当該ヘッド１０に対応する色のＵＶインクを収容している。カートリッジ３９内のインクは適宜ヘッド１０に供給される。
【００２５】
次に、図２〜図５を参照し、ヘッド１０の構成についてより詳細に説明する。なお、図３では、アクチュエータユニット１７の下側にあって点線で示すべき圧力室１６及びアパーチャ１５を実線で示している。
【００２６】
図５に示すように、ヘッド１０は、流路ユニット１２、アクチュエータユニット１７、リザーバユニット１１、及び基板６４が積層した積層体である。このうち、アクチュエータユニット１７、リザーバユニット１１、及び基板６４が、流路ユニット１２の上面１２ｘとカバー６５とにより形成される空間に、収容されている。当該空間内で、ＦＰＣ（平型柔軟基板）５０が、アクチュエータユニット１７と基板６４とを電気的に接続している。ＦＰＣ５０には、途中部にドライバＩＣ５７が実装されている。
【００２７】
カバー６５は、図５に示すように、トップカバー６５ａ及びサイドカバー６５ｂを含む。カバー６５は、下方に開口する箱であり、流路ユニット１２の上面１２ｘに固定されている。サイドカバー６５ｂは、アルミ製の板からなり、放熱板としても機能する。ドライバＩＣ５７は、サイドカバー６５ｂの内面に当接し、カバー６５ｂと熱的に結合している。
【００２８】
リザーバユニット１１は、貫通孔や凹部がそれぞれ形成された４枚の金属プレート１１ａ〜１１ｄを互いに接着した積層体である。金属プレート１１ｄの表面には、凸部が形成されている。リザーバユニット１１の内部には、リザーバ７２を含むインク流路が形成されている。当該インク流路の一端はチューブ等を介してカートリッジ３９に接続し、他端はリザーバユニット１１下面に開口している。プレート１１ｄには、リザーバ７２に連通するインク流出流路（リザーバユニット１１のインク流路の他端側部分流路）７３が形成されている。当該流路７３は、プレート１１ｄの凸部の先端面（即ち、上面１２ｘとの接合面）に開口している。
【００２９】
流路ユニット１２は、略同一サイズの矩形状の９枚の金属プレート１２ａ，１２ｂ，１２ｃ，１２ｄ，１２ｅ，１２ｆ，１２ｇ，１２ｈ，１２ｉ（図４参照）を互いに接着した積層体である。図２に示すように、流路ユニット１２の上面１２ｘには、インク流出流路７３の開口７３ａに対向する開口１２ｙが形成されている。流路ユニット１２の内部には、開口１２ｙから吐出口１４ａに繋がるインク流路が形成されている。インク流路は、図２、図３、及び図４に示すように、開口１２ｙを一端に有するマニホールド流路１３、マニホールド流路１３から分岐した副マニホールド流路１３ａ、及び、副マニホールド流路１３ａの出口から圧力室１６を介して吐出口１４ａに至る個別流路１４を含む。
【００３０】
マニホールド流路１３及び副マニホールド流路１３ａは、図２及び図３に示すように、複数の吐出口１４ａに共通の流路である。個別流路１４は、吐出口１４ａ毎に形成されており、図４に示すように、流路抵抗調整用の絞りであるアパーチャ１５、及び、上面１２ｘに開口した圧力室１６を含む。圧力室１６は、図３に示すように、それぞれ略菱形形状であり、マトリクス状に配置されている。圧力室１６は、集合することで、平面視で略台形領域を占め、計８つの圧力室群１６Ｇを構成している。吐出面１０ａに開口した吐出口１４ａも、圧力室１６と同様、マトリクス状に配置されることで、平面視で略台形領域を占める計８つの吐出口群１４Ｇを構成している。吐出口群１４Ｇ及び圧力室群１６Ｇはそれぞれ、吐出面１０ａ及び上面１２ｘにおいて、主走査方向に２列の千鳥状に配列されている。
【００３１】
アクチュエータユニット１７は、図２に示すように、それぞれ台形の平面形状を有し、圧力室群１６Ｇの台形領域上に配置されている。いずれのアクチュエータユニット１７も、台形の下底部分が、流路ユニット１２の副走査方向端部に近接している。アクチュエータユニット１７は、リザーバユニット１１と流路ユニット１２とが作る隙間内において、リザーバユニット１１の下面の凸部を避けて配置されている。
各アクチュエータユニット１７は、図示を省略するが、振動板、共通電極、圧電層、及び個別電極が順に積層した積層体である。上記各部材のうち、圧電層、振動板、及び共通電極は、アクチュエータユニット１７の外形を画定するサイズの台形形状を有する。個別電極は、圧電層の上面に、各圧力室１６と対向して配置されており、圧力室１６と略相似形状を有する。個別電極は、対応する圧力室群１６Ｇ内の圧力室１６と同じ数だけ形成されている。振動板は、共通電極と流路ユニット１２との間に配置されている。アクチュエータユニット１７の個別電極に対向する部分は、それぞれが独立した圧電式アクチュエータとして機能する。
【００３２】
ＦＰＣ５０は、アクチュエータユニット１７毎に設けられており、アクチュエータユニット１７の各電極に対応する配線を有する。当該配線はそれぞれドライバＩＣ５７の出力端子と接続されている。ＦＰＣ５０は、制御装置１ｐ（図１参照）による制御の下、基板６４で調整された各種駆動信号をドライバＩＣ５７に伝達し、ドライバＩＣ５７で生成された各駆動信号をアクチュエータユニット１７に伝達する。
【００３３】
次に、図６を参照し、キャップ４０、ワイパユニット７０、及び遮光板８０の構成、動作、機能等、並びに、メンテナンス動作について説明する。
キャップ４０及びワイパユニット７０は、ヘッド１０のメンテナンス動作に用いられる。
【００３４】
メンテナンス動作は、予備吐出（パージ（ポンプの駆動によりヘッド１０内のインクに圧力を付与して全吐出口１４ａ（図４参照）からインクを排出させる動作）や、フラッシング（画像データとは異なるフラッシングデータに基づいてヘッド１０の全アクチュエータを駆動することにより全吐出口１４ａからインクを吐出させる動作））、ワイピング（予備吐出の後にワイパ７１（図６（ｂ）参照）で吐出面１０ａ上の異物（インク、紙粉等）を払拭する動作）、キャッピング（キャップ４０により、吐出面１０ａと対向する対向空間Ｖ１を外部空間Ｖ２から隔離する動作）等を含む。
予備吐出は、例えば、プリンタ１の電源投入直後や、搬送経路内で用紙Ｐの詰まり（ジャム）が生じた時、吐出口１４ａから所定時間以上インクが吐出されていない時等に行われる。これ以外の場合、キャッピングが行われる。
予備吐出により、吐出口１４ａ近傍の増粘インクやヘッド１０内部の気泡や粉塵がインクと共に排出されると共に、吐出口１４ａ内のメニスカスが良好に維持される。ワイピングにより、吐出面１０ａ上の異物が払拭される。キャッピングにより、吐出口１４ａ周りの乾燥が防止される。したがって、各メンテナンス動作によって、ヘッド１０のインク吐出性能の回復又は悪化防止を図ることができる。
【００３５】
キャップ４０は、遮光性及び弾性を有するゴム等の材料からなり、平面視で吐出面１０ａの外周全体を囲む環状形状を有する。
キャップ４０の内側面には、全周に亘って、インクを保持可能なスポンジ４０Ｓが設けられている。スポンジ４０Ｓは、キャップ４０の内側面と流路ユニット１２の側面との間に介在している。スポンジ４０Ｓは、キャップ４０の内側において、キャップ４０の上端から下端４０ａ近傍まで延在している。
【００３６】
キャップ４０は、ギア４０Ｇ（図６（ｂ）参照）の駆動により上下に移動可能である。当該移動によって、キャップ４０は、下端４０ａが吐出面１０ａより下方にある位置（図６（ａ），（ｂ）に示す、吐出面１０ａから下方に突出する突出位置）と、下端４０ａが吐出面１０ａより上方にある退避位置とを選択的に取り得る。また、突出位置は、図６（ａ）に示す第１突出位置、及び、図６（ｂ）に示す第２突出位置（第１突出位置よりもさらに下方に突出した位置）があり、キャップ４０は計３つの位置（退避位置、第１突出位置、及び第２突出位置）を選択的に取り得る。
記録動作中、キャップ４０は退避位置を取る。
キャッピング中、キャップ４０は第１突出位置（図６（ａ）参照）を取る。このとき、先細の下端４０ａが支持面７ａに接触することによって、吐出面１０ａと支持面７ａとの間の対向空間Ｖ１が外部空間Ｖ２から隔離されている。
ワイピングの際、キャップ４０は第２突出位置（図６（ｂ）参照）を取る。これについては後に詳述する。
【００３７】
プラテン７は、図６（ａ）に示すように、平板部分とＬ字部分７ｐとを有すると共に、これら両部分の連結部に、主走査方向に延びる回動軸７ｘを有する。軸７ｘは、対応するヘッド１０の搬送方向下流側にある。プラテン７は、回動軸７ｘを中心とする回動によって、鉛直方向に関して、平板部分が水平に保持されて吐出面１０ａと対向する対向位置（図６（ａ）に実線で示す位置）と、平板部分が吐出面１０ａと対向しないで下方に垂れ下がる非対向位置（図６（ａ）に二点鎖線で示す位置）とを選択的に取り得る。プラテン７は、ワイピング時は非対向位置を取り、それ以外の時は対向位置を取る。
Ｌ字部分７ｐは、主走査方向から見て（即ち、プラテン７を副走査方向及び鉛直方向に延在する平面で切った断面視において）Ｌ字状の部分である。プラテン７が対向位置にあるとき、Ｌ字部分７ｐは、平板部分よりも下方に位置している。Ｌ字部分の内側壁面には、遮光シート７ｂが配置されている。
【００３８】
ワイパユニット７０は、図６（ｂ）に示すように、ワイパ７１、ホルダ７１ｈ、インクを保持可能なスポンジ７０Ｓ、これらを収納するワイパケース７８等を有する。
ワイパユニット７０は、ケース７８ごと移動可能であって、ワイピング時以外のときは待機空間（対向空間Ｖ１外であって、図１に示すヘッド１０よりも紙面奥側の空間）Ｖ３に配置され、ワイピング時には待機空間Ｖ３から中間空間（待機空間Ｖ３と対向空間Ｖ１との間の空間）Ｖ４を通って対向空間Ｖ１に配置される。
【００３９】
ワイパ７１は、ゴム等の弾性材料からなる板状部材であり、副走査方向及び鉛直方向に延在している。副走査方向に関して、ワイパ７１の長さ（幅）は吐出面１０ａの長さ（幅）よりも一回り大きい。ワイパ７１の下端は、ホルダ７１ｈに固定されている。
【００４０】
ホルダ７１ｈ及びこれに支持されたワイパ７１は、図７（ａ）に示すように、ソレノイド７５の駆動によりケース７８に対して上下に移動可能である。当該移動によって、ワイパ７１は、ケース７８に収納された収納位置（図６（ｂ）の待機空間Ｖ３に配置されたワイパユニット７０参照）と、ケース７８から上端近傍（吐出面１０ａに接触する部分）が露出する露出位置（図６（ｂ）の対向空間Ｖ１に配置されたワイパユニット７０、及び、図７（ａ）参照）とを取り得る。
【００４１】
ケース７８は、直方体状の箱であり、その上壁７８ｔには開口７８ｘが貫通して形成されている。上壁７８ｔの上面には、開口７８ｘを覆う薄膜状の蓋７９が取り付けられている。蓋７９には、スリット状の貫通孔７９ｘが形成されている。貫通孔７９ｘは、ワイパ７１の厚みよりも大きな幅、及び、ワイパ７１の副走査方向の長さよりも大きな長さを有する（図７参照）。ワイピングの際に、ワイパ７１の上端近傍が、貫通孔７９ｘを貫挿して、ケース７８から露出する。
ケース７８及び蓋７９は、共に遮光材料から構成されている。
【００４２】
ケース７８の内部には、ホルダ７１ｈを主走査方向両側から挟持する一対のプレート７７が設けられている。ホルダ７１ｈは、一対のプレート７７間にガイドされた状態で、上下に移動する。一対のプレート７７間において、ホルダ７１ｈとケース７８の底壁との間に、バネ７１Ｓが配置されている。バネ７１Ｓは、ホルダ７１ｈを上方に付勢する。
【００４３】
一方のプレート７７及びケース７８の側壁にはそれぞれ、スリット７７ｓ，７８ｓが形成されている。ホルダ７１ｈの側面から主走査方向に突出した棒７１ｐが、これらスリット７７ｓ，７８ｓを貫挿し、ソレノイド７５の駆動軸に接続している。したがって、ソレノイド７５の駆動軸の伸縮に応じて、棒７１ｐがスリット７７ｓ，７８ｓ内で上下に移動し、ホルダ７１ｈ及びワイパ７１が上下に移動する。
【００４４】
スポンジ７０Ｓは、ケース７８の内部において、一対のプレート７７間を除く空間の、底部近傍に設けられている。
【００４５】
遮光板８０は、図６（ｂ），（ｃ）に示すように、搬送方向下流側（図６（ｃ）の紙面上側）に配置された下流側板８０と、搬送方向上流側（図６（ｃ）の紙面下側）に配置された上流側板８０とから構成されている。これら板８０は、副走査方向に関して、待機空間Ｖ３を挟むようにして、互いに対向して配置されている。これら板８０は共に、遮光材料からなる矩形状の板であって、鉛直方向及び主走査方向に延在した状態で、筺体１ａに固定されている。これら板８０は共に、鉛直方向に関して、待機空間Ｖ３から流路ユニット１２の上方に亘って延在している。
下流側板８０は、副走査方向に関して待機空間Ｖ３とＵＶ照射器６０との間において、待機空間Ｖ３から中間空間Ｖ４に亘って、配置されている。下流側板８０は、副走査方向に関して、軸７ｘと略同じ位置に配置されている。
上流側板８０は、副走査方向に関して、キャップ４０における搬送方向上流側の側壁と略同じ位置に配置されている。
プラテン７が非対向位置（図６（ａ）に二点鎖線で示す位置）にあるとき、Ｌ字部分７ｐの先端が立設される。このとき、下流側板８０は、当該立設されたＬ字部分７ｐの先端と連続する。このとき、当該ヘッド１０の搬送方向下流側にあるＵＶ照射器６０が照射する紫外線に対して、待機空間Ｖ３及び中間空間Ｖ４は下流側板８０によって、対向空間Ｖ１はプラテン７によって、それぞれ遮光される。またこのとき、当該ヘッド１０の搬送方向上流側にあるＵＶ照射器６０が照射する紫外線に対して、待機空間Ｖ３及び中間空間Ｖ４は上流側板８０によって、対向空間Ｖ１はキャップ４０によって、それぞれ遮光される。
【００４６】
次に、図８を参照し、プリンタ１の電気的構成について説明する。
【００４７】
制御装置１ｐは、図８に示すように、演算処理装置であるＣＰＵ（Central Processing Unit）１０１に加えて、ＲＯＭ（Read Only Memory）１０２、ＲＡＭ（Random Access Memory：不揮発性ＲＡＭを含む）１０３、ＡＳＩＣ（Application Specific Integrated Circuit ）１０４、Ｉ／Ｆ（Interface）１０５、Ｉ／Ｏ（Input/Output Port）１０６等を有する。ＲＯＭ１０２には、ＣＰＵ１０１が実行するプログラム、各種固定データ等が記憶されている。ＲＡＭ１０３には、プログラム実行時に必要なデータが一時的に記憶される。ＡＳＩＣ１０４では、画像データの書き換え、並び替え等（例えば、信号処理や画像処理）が行われる。Ｉ／Ｆ１０５は、外部装置とのデータ送受信を行う。Ｉ／Ｏ１０６は、各種センサの検出信号の入力／出力を行う。
【００４８】
制御装置１ｐは、各モータ１２５，１２７、用紙センサ３２、ヘッド１０の制御基板、ＵＶ照射器６０等に接続されている。
制御装置１ｐはさらに、プラテン７を回動させるプラテン回動モータ７Ｍ、ギア４０Ｇ（図６（ｂ）参照）を駆動するキャップ駆動モータ４０Ｍ、ワイパユニット７０をケース７８ごと主走査方向又は鉛直方向に移動させるワイパユニット駆動モータ７０Ｍ、及び、ソレノイド７５に接続されている。なお、これらモータ７Ｍ，４０Ｍ，７０Ｍ及びソレノイド７５は、ヘッド１０毎に設けられているが、図８では、１のヘッド１０に対応するもののみ示し、簡略化している。
【００４９】
次に、図９を参照し、制御装置１ｐが実行するワイピング動作の制御内容について説明する。以下の各処理は、ＲＯＭ１０２に記憶されているプログラムにしたがって、ＣＰＵ１０１が実行する。
【００５０】
制御装置１ｐは、図９に示すように、先ず、ワイピング指令の受信の有無を判断する（Ｓ１）。ワイピング指令は、例えば、予備吐出の後（上述のようにプリンタ１の電源投入直後等に予備吐出が行われた後）に受信される。
なお、ワイピング指令の受信前、プラテン７は対向位置、キャップ４０は退避位置、ワイパユニット７０は待機空間Ｖ３、ワイパ７１は収納位置にある。
【００５１】
制御装置１ｐは、ワイピング指令を受信すると（Ｓ１：ＹＥＳ）、プラテン回動モータ７Ｍを駆動し、プラテン７を退避（対向位置から非対向位置に移動）させる（Ｓ２）。このとき、プラテン７のＬ字部分７ｐが立設され、Ｌ字部分７ｐの内側壁面が、キャップ４０における搬送方向下流側の側壁と対向し、キャップ４０の下端４０ａと対向する。一方、プラテン７の平板部分は下方に垂れ下がる。これにより、プラテン７は、対向空間Ｖ１を、当該ヘッド１０の搬送方向下流側にあるＵＶ照射器６０が照射する紫外線から遮光する。
【００５２】
Ｓ２の後、制御装置１ｐは、キャップ駆動モータ４０Ｍを駆動して、キャップ４０を下降させ、退避位置から第２突出位置に移動させる（Ｓ３）。
このとき、当該ヘッド１０の搬送方向下流側では、キャップ４０の下端４０ａが、図６(ａ)に示すように、プラテン７のＬ字部分７ｐの内側壁面(遮光シート７ｂの表面)に接触する。これにより、対向空間Ｖ１は、当該ヘッド１０の搬送方向下流側にあるＵＶ照射器６０が照射する紫外線から確実に遮光される。
【００５３】
Ｓ３の後、制御装置１ｐは、ワイパユニット駆動モータ７０Ｍを駆動し、ワイパユニット７０をケース７８ごと、待機空間Ｖ３から中間空間Ｖ４を通って対向空間Ｖ１に、主走査方向に移動させる（Ｓ４）。なお、待機空間Ｖ３において、ワイパユニット７０は、第２突出位置にあるキャップ４０の下端４０ａよりも下方にある。したがって、Ｓ４においてワイパユニット７０がキャップ４０の下方を横切る時、ワイパユニット７０がキャップ４０と衝突することはない。
制御装置１ｐは、対向空間Ｖ１のうち、主走査方向に関して待機空間Ｖ３から遠い方の端部（図６（ｂ）で右側の端部）にワイパユニット７０が到達した時点で、ワイパユニット７０の主走査方向の移動を停止させる。その後制御装置１ｐは、ワイパユニット駆動モータ４０Ｍを駆動し、ワイパユニット７０をケース７８ごと、若干（ケース７８の上端がキャップ４０の下端４０ａと同じ高さになる位置まで）上昇させる。これにより、この後（Ｓ５で）ケース７８から露出するワイパ７１に、当該ヘッド１０の搬送方向下流側にあるＵＶ照射器６０が照射する紫外線が届かない。
【００５４】
Ｓ４の後、制御装置１ｐは、ソレノイド７５を駆動し、ワイパ７１を収納位置から露出位置に移動させる（Ｓ５）。なお、このときワイパ７１は未だ吐出面１０ａに接触していない。
【００５５】
Ｓ５の後、制御装置１ｐは、ワイパユニット駆動モータ７０Ｍを駆動し、ワイパユニット７０をケース７８ごと、若干（ワイパ７１が吐出面１０ａに撓みながら接触する位置まで）上昇させる。さらに制御装置１ｐは、ワイパユニット駆動モータ７０Ｍを駆動し、ワイパユニット７０をケース７８ごと、対向空間Ｖ１において待機空間Ｖ３に向かって主走査方向に移動させることによって、ワイピングを行う（Ｓ６）。このときワイパ７１の移動領域は、紫外線の照射領域外となっている。
このとき、ワイパ７１の上端近傍は、吐出面１０ａに接触しながら吐出面１０ａに対して相対移動する。これにより、吐出面１０ａに付着した異物が払拭される。
制御装置１ｐは、対向空間Ｖ１のうち、主走査方向に関して待機空間Ｖ３に近い方の端部（図６（ｂ）で左側の端部）にワイパユニット７０が到達した時点で、ワイパユニット７０の主走査方向の移動を停止させる。その後制御装置１ｐは、ワイパユニット７０を若干（ワイパ７１が吐出面１０ａから離隔する位置まで）下降させる。
なお、下降のさせ方にもよるが、ワイパ７１が吐出面１０ａから離隔するときに、ワイパ７１の弾性力によって、ワイパ７１が吐出面１０ａに接触する前の状態に急に戻り、ワイパ７１に付着していたインクが筺体１ａ内部に飛散し得る。そこで本実施形態では、キャップ４０の内側にスポンジ４０Ｓを設けている。これにより、ワイパ７１に付着していたインクはスポンジ４０Ｓに吸収され、上記のようなインク飛散等の問題を最小限に止めることができる。
【００５６】
Ｓ６のワイピング前後（ワイパ７１が露出位置にあり且つ吐出面１０ａに接触していないとき）において、ワイパ７１は、貫通孔７９ｘの略中央に位置している（図７（ｂ１），（ｃ１）参照）。このとき、ワイパ７１の移動方向下流側の面（ワイプ面）７１ｗ１と、蓋７９における貫通孔７９ｘを画定し且つ主走査方向に関してワイプ面７１ｗ１と対向する部分との間の空隙の幅ｘ１、及び、ワイパ７１の移動方向上流側の面（裏面）７１ｗ２と、蓋７９における貫通孔７９ｘを画定し且つ主走査方向に関して裏面７１ｗ２と対向する部分との間の空隙の幅ｘ２は、略等しい。
Ｓ６のワイピング中、ワイパ７１は吐出面１０ａと接触して撓み、裏面７１ｗ２が蓋７９と接触する。このとき、幅ｘ２≒０となるが、幅ｘ１はワイピング前後よりも大きくなる（図７（ｂ２），（ｃ２）参照）。
つまり、ワイピング中は、幅ｘ１が大きいため、ワイパ７１で拭き取られた異物が、確実にケース７８内に収容され、ケース７８内以外の部分に飛散し難い。一方、ワイピング後は、幅ｘ１がワイピング中よりも小さくなるため、ワイプ面７１ｗ１に付着した異物（特にインク）が紫外線に曝され難い。（なお、この点に鑑みて、ワイピング後に幅ｘ１≒０となるように構成してよい。この場合、ワイプ面７１ｗ１に付着した異物（特にインク）がより一層紫外線に曝され難くなる。）
【００５７】
Ｓ６の後、制御装置１ｐは、ソレノイド７５を駆動し、ワイパ７１を露出位置から収納位置に移動させる（Ｓ７）。
【００５８】
Ｓ７の後、制御装置１ｐは、ワイパユニット駆動モータ７０Ｍを駆動し、ワイパユニット７０をケース７８ごと、鉛直方向に関してケース７８がキャップ４０と重ならない高さまで、下降する。さらに制御装置１ｐは、ワイパユニット駆動モータ７０Ｍを駆動し、ワイパユニット７０をケース７８ごと、対向空間Ｖ１から中間空間Ｖ４を通って待機空間Ｖ３に、主走査方向に移動させる（Ｓ８）。
制御装置１ｐは、待機空間Ｖ３に到達した時点で、ワイパユニット７０の主走査方向の移動を停止させる。
【００５９】
Ｓ８の後、制御装置１ｐは、キャップ駆動モータ４０Ｍを駆動して、キャップ４０を上昇させ、第２突出位置から退避位置に移動させる（Ｓ９）。
【００６０】
Ｓ９の後、制御装置１ｐは、プラテン回動モータ７Ｍを駆動し、プラテン７を復帰（非対向位置から対向位置に移動）させる（Ｓ１０）。これにより、ワイピング動作が終了する。
【００６１】
以上に述べたように、本実施形態に係るプリンタ１、制御装置１ｐ、及びプログラムによると、図６（ｂ）に示すように、第２突出位置にあるキャップ４０によって、対向空間Ｖ１が、ＵＶ照射器６０が照射する紫外線から遮光される。ワイピングが行われる場合に、ワイパ７１が対向空間Ｖ１に配置され且つキャップ４０が第２突出位置に配置された状態とされる。そのため、ワイピング中にＵＶ照射器６０をオフにしなくとも、ワイパ７１に付着したインクの硬化を防止することができる。
【００６２】
キャップ４０は、遮光のみでなく、キャッピングにも用いられる（図６（ａ）参照）。これにより、装置構成の簡素化が実現される。
【００６３】
キャッピングにおいて、プラテン７を用いている。これにより、キャッピング用に別部材を設ける必要がなく、装置構成の簡素化が実現される。また、記録動作完了後に速やかにキャッピングに移行することができる。
【００６４】
プラテン７が回動可能である。そのため、対向位置から非対向位置への移動及び非対向位置から対向位置への移動を容易に行うことができる。また、省スペース化を図ることもできる。
【００６５】
キャップ４０が第２突出位置に配置され且つプラテン７が非対向位置に配置されているときに、キャップ４０とプラテン７との間に介在する遮光シート７ｂが設けられている。遮光シート７ｂによって、ＵＶ照射器６０が照射する紫外線がキャップ４０とプラテン７との隙間を介して対向空間Ｖ１に侵入するのを防止することができ、ワイパ７１に付着したインクの硬化をより確実に防止することができる。
【００６６】
対向空間Ｖ１内でワイピングが行われるため、キャップ４０の内側面（対向空間Ｖ１を画定する面）にワイパ７１が接触したり、ワイピング中に払拭されたインクが飛散して上記面にインクが付着したりする場合がある。この場合、上記面に付着したインクが落下し、プラテン７や用紙Ｐ、その他筺体１ａ内の部材にインクが付着し得る。
本実施形態では、キャップ４０の内側面にスポンジ４０Ｓを設けたことで、上記のような問題を軽減することができる。
【００６７】
ワイパ７１が待機空間Ｖ３に配置されているとき、及び、ワイパ７１が中間空間Ｖ４に配置されているときに、ワイパケース７８及び遮光板８０によって、ワイパ７１が、ＵＶ照射器６０が照射する紫外線から遮光される。
ワイパ７１が、ワイピング中はキャップ４０によって、ワイパ７１が待機空間Ｖ３又は中間空間Ｖ４に配置されているときはワイパケース７８及び遮光板８０によって、ＵＶ照射器６０が照射する紫外線から遮光される。つまり、ワイパ７１は、ワイピング中のみならず、常に、ＵＶ照射器６０が照射する紫外線から遮光される。そのため、ＵＶ照射器６０のオン／オフの切換えを行わなくとも、ワイパ７１に付着したインクの硬化を防止することができる。
【００６８】
しかも、ワイパケース７８及び遮光板８０という、比較的簡単な構成で、ワイパ７１を紫外線から遮光することができる。
【００６９】
ワイパケース７８が蓋７９を有し、ワイパ７１は蓋７９の貫通孔７９ｘを貫挿して露出する。ワイピング中は、図７（ｂ２），（ｃ２）に示すように、ワイプ面７１ｗ１と、蓋７９における貫通孔７９ｘを画定し且つ主走査方向に関してワイプ面７１ｗ１と対向する部分との間に、空隙（幅ｘ１で示す部分）が確保されている。空隙の幅ｘ１は、ワイピングが終了してワイパ７１が吐出面１０ａから離隔したとき、図７（ｂ１），（ｃ１）に示すように、ワイピング中よりも小さくなる（即ち、図７（ｃ２）に示す幅ｘ１よりも、図７（ｃ１）に示す幅ｘ１の方が小さい）。
ワイピング中に払拭されたインクがワイパケース７８外に飛散し、筺体１ａ内の他の部材に付着すると、汚れの問題の他、インクが硬化して不具合が生じ得る。本実施形態の上記構成によれば、ワイピング中に払拭されたインクは、図７（ｂ２）に示す空隙（幅ｘ１で示す部分）を介してワイパケース７８内に誘導される。そのため、上記のような問題を軽減することができる。
また、ワイピング終了後は図７（ｂ１）に示すように空隙の幅ｘ１が小さくなるため、ワイプ面７１ｗ１に付着したインクの硬化を効果的に防止することができる。
【００７０】
ワイパケース７８内にスポンジ７０Ｓを設けたことで、ワイピング中に払拭されてワイパケース７８内に入り込んだインクをスポンジ７０Ｓに保持させることができる。
【００７１】
次いで、図１０を参照し、本発明の記録装置の第２実施形態に係るインクジェット式プリンタについて説明する。
第２実施形態に係るプリンタは、プラテンが回動可能ではなく水平方向に移動可能である点で第１実施形態と異なり、その他の構成は第１実施形態と同様である。
【００７２】
本実施形態のプラテン２０７は、副走査方向に移動可能であり、当該移動によって、鉛直方向に関して吐出面１０ａと対向する対向位置（図１１に実線で示す位置）と吐出面１０ａと対向しない非対向位置（図１１に点線で示す位置）とを選択的に取り得る。プラテン２０７は、制御装置１ｐの制御によって、ワイピング時は非対向位置、それ以外のときは対向位置を取る。キャッピング中、キャップ４０は支持面２０７ａと接触する。
【００７３】
次いで、図１１を参照し、本発明の記録装置の第３実施形態に係るインクジェット式プリンタについて説明する。
第３実施形態に係るプリンタは、キャップの構成が第１実施形態と異なり、その他の構成は第１実施形態と同様である。
【００７４】
本実施形態のキャップ３４０は、第１実施形態のキャップ４０における待機空間Ｖ３に近接する側壁を省略したものであり、平面視でコの字形状である。
この場合、ワイピング時におけるワイパユニット７０の移動を、主走査方向に限定することができる。即ち、第１実施形態では、上記側壁があるため、キャップ４０とワイパユニット７０との衝突を避けるべく、制御を行う（即ち、図６（ｂ）に示すように、ワイパユニット７０を待機空間Ｖ３において第２突出位置にあるキャップ４０の下端４０ａよりも下方に配置しておき、ワイパユニット７０が対向空間Ｖ１に到達した後に、ワイパユニット７０を上昇させる）。これに対し、本実施形態では、上記側壁がないため、以下のような制御を行っても、キャップ３４０とワイパユニット７０との衝突を避けることができる。即ち、ワイパユニット７０を待機空間Ｖ３においてキャップ３４０の下端よりも上方に配置し、ワイパユニット７０を主走査方向に移動させ、ワイパユニット７０を上昇させる動作を行うことなく、ワイピング動作に移行するといった制御を行うことができる。
なお、キャップ３４０に加えて、キャップ３４０との協働により対向空間Ｖ１全体を覆って対向空間Ｖ１を外部空間から離隔する、別のキャップを設けることが好ましい。これにより、キャッピングを好適に行うことができる。
【００７５】
次いで、図１２を参照し、本発明の記録装置の第４実施形態に係るインクジェット式プリンタについて説明する。
第４実施形態に係るプリンタは、プラテンの構成が第１実施形態と異なり、その他の構成は第１実施形態と同様である。
【００７６】
本実施形態のプラテンは、搬送方向上流側に配置された部分プラテン４０７ａと、搬送方向下流側に配置された部分プラテン４０７ｂとから構成されている。各部分プラテン４０７ａ，４０７ｂは、平板部分とＬ字部分７ｐとを有すると共に、これら両部分の連結部に、主走査方向に延びる回動軸７ｘを有する。各部分プラテン４０７ａ，４０７ｂは、回動軸７ｘを中心とする回動によって、鉛直方向に関して、平板部分が水平に保持されて吐出面１０ａと対向する対向位置（図１２に実線で示す位置）と、平板部分が吐出面１０ａと対向しないで下方に垂れ下がる非対向位置（図１２に二点鎖線で示す位置）とを選択的に取り得る。各部分プラテン４０７ａ，４０７ｂは、第１実施形態のプラテン７と同様、ワイピング時は非対向位置を取り、それ以外の時は対向位置を取る。
部分プラテン４０７ａ，４０７ｂは、主走査方向から見て、対応するヘッド１０の副走査方向中心を通る鉛直線に関して、対称形状を有する。部分プラテン４０７ａにおいて、回動軸７ｘは、平板部分の搬送方向上流側端部にある。部分プラテン４０７ｂにおいて、回動軸７ｘは、平板部分の搬送方向下流側端部にある。図１２に実線で示すように、両部分プラテン４０７ａ，４０７ｂが共に対向位置にあるとき、両部分プラテン４０７ａ，４０７ｂの平板部分は、回動軸７ｘが設けられた端部とは反対側の端部が副走査方向に互いに対向しつつ接触し、１のプラテン面を形成する。
本実施形態のプラテンの形態は、ワイピング中とキャッピング中とでキャップ４０（第１遮光部材）の位置が同じ場合に、特に好適に適用される。
【００７７】
第２、第３、及び第４実施形態においても、第１実施形態と同様の構成によって、第１実施形態と同様の効果が得られる。
【００７８】
以上、本発明の好適な実施の形態について説明したが、本発明は上述の実施形態に限られるものではなく、特許請求の範囲に記載した限りにおいて様々な設計変更が可能なものである。
【００７９】
搬送部は、プラテン及び送りローラ対からなることに限定されず、例えば、離隔配置された一対のローラ及びローラに巻回されたエンドレスの搬送ベルトからなってもよい。
【００８０】
第１遮光部材は、ワイピング中とキャッピング中とで同じ位置に配置されてもよい。
具体的には、第１実施形態において、第１遮光部材としてのキャップ４０は、ワイピング中とキャッピング中とで異なる位置（キャッピング中は第１突出位置、ワイピング中は第２突出位置）に配置されるが、ワイピング中とキャッピング中とで同じ位置（例えば第１突出位置）に配置されてもよい。
【００８１】
第１遮光部材は、環状のキャップ４０や平面視コの字状のキャップ３４０に限定されず、遮光板８０のような板（例えばヘッド１０のＵＶ照射器６０に対向する側に設けられた板）であってもよい。この場合、当該板は、ヘッド１０を搬送方向両側から挟むように配置されてよい。
第１遮光部材は、キャッピングに用いられるものでなくてもよい。また、キャッピングにおいて、プラテン等の媒体支持部を用いなくてもよい。
【００８２】
第１遮光部材が突出位置に配置されるタイミングは、ワイパが対向空間に配置された後及び配置される前のいずれでもよい。
具体的には、第１実施形態では、キャップ４０を突出位置に配置した後、ワイパ７１を対向空間Ｖ１に配置する（即ち、第１遮光部材が突出位置に配置されるタイミングは、ワイパが対向空間に配置される前である）が、これに限定されず、例えば、ワイパ７１を対向空間Ｖ１に配置した後、キャップ４０を突出位置に配置してもよい（即ち、第１遮光部材が突出位置に配置されるタイミングは、ワイパが対向空間に配置された後であってもよい）。
【００８３】
遮光シート７ｂ、スポンジ４０Ｓ等を適宜省略してもよい。
【００８４】
ワイパは、ワイパケースに対して移動不能であってもよい。
ワイパケース内にスポンジ７０Ｓ等の保持部材を設けなくてもよい。
ワイパケースの蓋は、ワイパケースに対して、ワイパの吐出面に対する相対移動方向に若干距離移動可能に取り付けられていてもよい。この場合、ワイピング時にワイパが撓むことで、ワイパのワイプ面とは反対側の裏面に押されて蓋が若干距離移動し、ワイプ面と、蓋における貫通孔を画定し且つ上記相対移動方向に関してワイプ面と対向する部分との間に、空隙が確保される。そしてワイピングが終了してワイパが吐出面から離隔し、ワイパが撓み状態から復帰したときに、上記空隙の上記相対移動方向のサイズがワイピング中よりも小さくなってよい。
【００８５】
第３遮光手段として、第１実施形態では、ワイパケース７８と遮光板８０との両方を用いているが、これらの一方のみを用いてもよい。例えば、ワイパケース７８を省略し、遮光板８０のみによって、待機空間Ｖ３から対向空間Ｖ１までワイパ７１をＵＶ照射器６０が照射する紫外線から遮光してよい。或いは、遮光板８０を省略し、ワイパケース７８のみによって、待機空間Ｖ３から対向空間Ｖ１までワイパ７１をＵＶ照射器６０が照射する紫外線から遮光してよい。
【００８６】
記録装置は、任意の数のヘッドを含んでよい。複数のヘッドを含む場合、紫外線照射部は、少なくとも１のヘッドの搬送方向下流側にあればよく、各ヘッドの搬送方向下流側になくてもよい。また、第１遮光部材は、複数のヘッドのうちの１以上に対して設けられればよい。
具体的には、第１実施形態では、４つのヘッド１０のそれぞれに対してＵＶ照射器６０が設けられているが、例えば、搬送方向最も下流側にあるヘッド（図１で最も右側のヘッド）１０の搬送方向下流側に、１のＵＶ照射器６０のみを設けてもよい。
【００８７】
ヘッドは、画像形成に直接寄与する液体である記録液を吐出する記録ヘッドに限定されず、例えば、記録液の記録媒体への滲みを防止する作用等を有する処理液を吐出するヘッドであってもよい。
【００８８】
プラテンは、第１実施形態では１の部材から構成され、第４実施形態では２の部材から構成されているが、３以上の部材から構成されてもよく、また、その他様々な変更が可能である。
【００８９】
本発明は、ライン式・シリアル式のいずれにも適用可能であり、また、プリンタに限定されず、ファクシミリやコピー機等にも適用可能である。さらに、インク以外の液体を吐出するものであってもよい。
【００９０】
記録媒体は、用紙Ｐに限定されず、記録可能な様々な媒体であってよい。
【００９１】
本発明は、「ワイピング中に紫外線照射部をオフにしなくとも、ワイパに付着した液体の硬化を防止することができる」という効果を奏するが、ワイピング中に紫外線照射部をオフにしてもよいし、紫外線照射部のオン／オフの切換えを行ってもよい。
【符号の説明】
【００９２】
１  インクジェット式プリンタ（記録装置）
１ｐ  制御装置（第１遮光部材制御手段，ワイパ制御手段，キャッピング制御手段，移動機構制御手段）
７；２０７  プラテン（搬送部，対向部材，媒体支持部）
７ａ；２０７ａ  支持面（対向面）
７ｂ  遮光シート（第２遮光部材）
１０  インクジェットヘッド（ヘッド）
１０ａ  吐出面
１４ａ  吐出口
４０；３４０  キャップ（第１遮光部材）
４０Ｓ  スポンジ（保持部材）
６０  ＵＶ照射器（紫外線照射部）
７０  ワイパユニット
７０Ｓ  スポンジ（保持部材）
７１  ワイパ
７５  ソレノイド（移動機構）
７８  ワイパケース（第３遮光手段）
７８ｘ  開口
７９  蓋
７９ｘ  貫通孔
８０  遮光板（第３遮光手段）
Ｐ  用紙（記録媒体）
Ｖ１  対向空間
Ｖ２  外部空間
Ｖ３  待機空間
Ｖ４  中間空間
【図１】
0005488439.tif 000002
【図２】
0005488439.tif 000003
【図３】
0005488439.tif 000004
【図４】
0005488439.tif 000005
【図５】
0005488439.tif 000006
【図６】
0005488439.tif 000007
【図７】
0005488439.tif 000008
【図８】
0005488439.tif 000009
【図９】
0005488439.tif 000010
【図１０】
0005488439.tif 000011
【図１１】
0005488439.tif 000012
【図１２】
0005488439.tif 000013